(57)【要約】【課題】パネル組立体を外装ケース内に収納してかしめ片の捻りにより固定するにあたって、ゴム材などからなるダンパーを用いることなく、パネル組立体をガタ付きなく確実に固定する。【解決手段】液晶表示パネル１０とパネルホルダ２０とを含むパネル組立体Ａを外装ケース３０内に収納し、外装ケース３０に一体に形成されているかしめ片３２にてパネル組立体Ａを固定する場合において、パネルホルダ２０の背面２０ａ内のかしめ片３２によって押圧される被押圧部２１に、かしめ片３２の捻り角が大きくなるに伴って押圧力が漸次増大する上り勾配の摺接面２２を形成する。【選択図】    図１
2004302212.tif 000002
【特許請求の範囲】
【請求項１】
液晶表示パネルの裏面側にパネルホルダを装着してなるパネル組立体と、前面側に上記液晶表示パネル用の表示窓を有し後面側が開放されていて、その後面側から上記パネル組立体が収納される金属製の外装ケースとを含み、上記外装ケースの後面側の開口端縁に上記パネルホルダの背面に摺接しながら捻り可能なほぼＬ字状をなすかしめ片が一体に形成されており、上記かしめ片の捻りにより上記パネル組立体が上記外装ケース内に固定される液晶表示装置において、
上記パネルホルダの背面内の上記かしめ片によって押圧される被押圧部には、上記かしめ片の捻り角が大きくなるに伴って押圧力が漸次増大する上り勾配の摺接面が形成されていることを特徴とする液晶表示装置。
【請求項２】
上記摺接面は、底部側の端縁とこれと対向する頂部側の端縁とが平行である傾斜面で、その傾斜角が３〜１０゜である請求項１に記載の液晶表示装置。
【請求項３】
上記摺接面は、底部側の端縁に対してこれと対向する頂部側の端縁が上記かしめ片の捻り方向に沿って漸次高さを増すように傾けられており、上記摺接面の全体が上記かしめ片の捻り方向に沿って上り勾配とされている請求項１に記載の液晶表示装置。
【発明の詳細な説明】
【０００１】
【発明の属する技術分野】
本発明は、液晶表示パネルをパネルホルダとともに外装ケース内に収納してなる液晶表示装置に関し、さらに詳しく言えば、外装ケース内で液晶表示パネルをパネルホルダを介して固定する技術に関するものである。
【０００２】
【従来の技術】
液晶表示パネルを表示装置として製品化するには、液晶駆動用の制御回路基板が接続され、また、半透過型や透過型の液晶表示パネルには、バックライトが取り付けられる。これらを組み立てるため、支持部品としてのパネルホルダが用いられるが、最終的にはパネルホルダに取り付けられた状態で外装ケース内に収納される。その一例を図４により説明する。
【０００３】
図４は液晶表示装置を逆様とした状態での分解斜視図であり、製品化するにあたっては、液晶表示パネル１０の裏面側（反観察面側）にパネルホルダ２０が装着される。通常、パネルホルダ２０には合成樹脂の成形品が用いられる。
【０００４】
図示しないが、パネルホルダ２０には、液晶表示パネル１０に例えばＣＯＦなどのフレキシブル基板を介して接続された液晶駆動用の制御回路基板が取り付けられ、また、液晶表示パネル１０が半透過型もしくは透過型の場合には、そのバックライトもパネルホルダ２０に組み込まれる。
【０００５】
バックライトは液晶表示パネル１０とパネルホルダ２０との間に配置され、これに対して、制御回路基板はパネルホルダ２０の裏面２０ａ側（図４において上面側）に両面接着テープなどの固定手段を介して取り付けられる。
【０００６】
このようにして、パネルホルダ２０をベースとして液晶表示パネル１０およびその周辺部品を組み立ててなるパネル組立体Ａは、４辺に側枠３０ａを有する外装ケース３０内に収納される。ここでの外装ケース３０は金属製であって、その前面側に液晶表示パネル１０用の表示窓３１を備え、反対側の後面は開放されており、その後面側から外装ケース３０内にパネル組立体Ａが収納される。
【０００７】
外装ケース３０の後面側の開口端縁には、パネル組立体Ａを固定するための複数のかしめ片３２が一体に形成されている。この例では、長辺側の２辺の各々にかしめ片３２が２つずつ配置されており、図５にその１つを拡大して示す。
【０００８】
これによると、かしめ片３２は、外装ケース３０の側枠３０ａからほぼ垂直に起立する脚部３２１と、脚部３２１の上端側において側枠３０ａと平行な向きとしてほぼ直角に折り曲げられた鉤部３２２とを備え、脚部３２１を中心として所定の角度範囲内で自在に捻ることができる。
【０００９】
したがって、外装ケース３０内に液晶表示パネル１０を表示窓３１と対向するようにしてパネル組立体Ａを収納した後、各かしめ片３２を図５の鎖線で示すように外装ケース３０の内側に向けて捻ってパネルホルダ２０の背面２０ａを押さえ付けることにより、外装ケース３０内でパネル組立体Ａが固定される。
【００１０】
しかしながら、パネルホルダ２０および外装ケース３０は製造時に寸法公差を持つため、かしめ片３２のみでは外装ケース３０内でのパネル組立体Ａのガタ付きを抑えることは難しい。
【００１１】
【発明が解決しようとする課題】
そこで従来においては、図４に示すように、外装ケース３０とパネル組立体Ａとの間にゴム材などからなるダンパー４０を介装することにより、外装ケース３０内でのパネルホルダ２０のガタ付きを抑えるようにしているが、これには次のような問題がある。
【００１２】
すなわち、ダンパー４０を必要とする分、その部品コストおよび組み立て時の作業コストが増えるため、ダンパー４０を用いることは好ましくない。また、この液晶表示装置自体を廃棄処分とする場合、環境保護の観点から廃棄物はできるだけ少ないことが望まれるため、ダンパー４０は使用しないことが好ましく、現実にそのようなことがメーカーサイドで提唱されている。
【００１３】
なお、ダンパー４０を使用しないでガタ付きを防止するには、その１つの方法として、上記のかしめ片３２に代えてねじ止めを採用すればよいのであるが、ねじ止めの場合には、パネルホルダ２０と外装ケース３０とにねじを取り付ける箇所を別途に用意する必要があり設計上好ましくない。また、作業性の面でも、かしめ片３２によればワンタッチ的な作業で固定できるが、ねじ止めの場合にはそれよりも多くの手数を要するため好ましくない。
【００１４】
したがって、本発明の課題は、パネル組立体を外装ケース内に収納し、その外装ケースに一体に形成されているかしめ片にてパネル組立体を固定する場合において、ゴム材などからなるダンパーを用いることなく、パネル組立体をガタ付きなく確実に固定できるようにすることにある。
【００１５】
【課題を解決するための手段】
上記課題を解決するため、本発明は、液晶表示パネルの裏面側にパネルホルダを装着してなるパネル組立体と、前面側に上記液晶表示パネル用の表示窓を有し後面側が開放されていて、その後面側から上記パネル組立体が収納される金属製の外装ケースとを含み、上記外装ケースの後面側の開口端縁に上記パネルホルダの背面に摺接しながら捻り可能なほぼＬ字状をなすかしめ片が一体に形成されており、上記かしめ片の捻りにより上記パネル組立体が上記外装ケース内に固定される液晶表示装置において、上記パネルホルダの背面内の上記かしめ片によって押圧される被押圧部には、上記かしめ片の捻り角が大きくなるに伴って押圧力が漸次増大する上り勾配の摺接面が形成されていることを特徴としている。
【００１６】
本発明において、上記被押圧部の摺接面としては、底部側の端縁とこれと対向する頂部側の端縁とが平行である傾斜面で、その傾斜角が３〜１０゜であることが好ましい。
【００１７】
また、本発明には、上記摺接面のより好ましい態様として、底部側の端縁に対してこれと対向する頂部側の端縁が上記かしめ片の捻り方向に沿って漸次高さを増すように傾けられており、上記摺接面の全体が上記かしめ片の捻り方向に沿って上り勾配とされている摺接面が含まれる。
【００１８】
【発明の実施の形態】
次に、図１ないし図３により、本発明の実施形態について説明するが、本発明はこの実施形態限定されるものではない。
【００１９】
本発明の液晶表示装置においても、先の図４および図５で説明した従来例と同じく、液晶表示パネル１０とパネルホルダ２０とを含むパネル組立体Ａを金属製の外装ケース３０内に収納し、外装ケース３０に設けられているかしめ片３２を捻ることにより、パネル組立体Ａを固定するものであるが、液晶表示パネル１０と外装ケース３０については、上記従来例と同じ構成であってよいため、ここではその説明を省略する。
【００２０】
本発明は、外装ケース３０のかしめ片３２によって押圧されるパネルホルダ２０側の被押圧部の構成に特徴を有している。すなわち、図１の要部斜視図に示すように、パネルホルダ２０の背面２０ａ側において、かしめ片３２によって押圧される被押圧部２１には、かしめ片３２の捻り角が大きくなるに伴って押圧力が漸次増大する上り勾配とされたかしめ片用の摺接面２２が形成されている。
【００２１】
図１のＡ−Ａ線断面図である図２を併せて参照して、この例における摺接面２２は、底部側（側枠３０ａ側）の端縁２２ａと、これと対向する頂部側の端縁２２ｂとが平行で、側枠３０ａに沿った方向には傾きを持たない傾斜面として形成されている。
【００２２】
摺接面２２の水平基準面Ｈに対する傾斜角θは３〜１０゜であることが好ましい。なお、底部側の端縁２２ａの高さ位置は、パネル組立体Ａを外装ケース３０内に収納した無負荷状態において、かしめ片３２の鉤部３３２の下端縁と同じ高さもしくはそれよりも若干低い位置に設定される。
【００２３】
これによれば、図５の鎖線で示すように、かしめ片３２を外装ケース３０の内側に向けて捻ることにより、その鉤部３３２が次第に摺接面２２に乗り上がって行き、相対的にパネルホルダ２０が外装ケース３０内に押し込まれることになるため、上記従来例で説明したダンパーを用いずとも、パネル組立体Ａをガタ付くことなく確実に固定することができる。このときのかしめ片３２の曲げ角度は、外装ケース３０に対して４０〜６０゜であることが好ましい。
【００２４】
本発明には、図３に示す態様のかしめ片用の摺接面２３も含まれる。この摺接面２３は、底部側の端縁２３ａに対してこれと対向する頂部側の端縁２３ｂがかしめ片３２の捻り方向（矢印Ｂ方向）に沿って漸次高さを増すように傾けられており、摺接面２３の全体がかしめ片３２の捻り方向に沿って上り勾配とされた傾斜面を備えている。
【００２５】
すなわち、図３に示すように、被押圧部２１が矩形状の凹部として形成されており、その凹部内に摺接面２３が設けられる場合において、かしめ片３２が凹部内の１つの隅２１ａに向けて矢印Ｂ方向に捻られるとすると、摺接面２３は凹部の底面をその隅２１ａ側だけ持ち上げた傾斜面として形成されている。
【００２６】
これによれば、図１の摺接面２２と同じく、かしめ片３２を外装ケース３０の内側に向けて捻ることにより、その鉤部３３２が次第に摺接面２３に乗り上がるため、外装ケース３０内においてパネル組立体Ａをガタ付くことなく確実に固定することができる。
【００２７】
なお、上記実施形態では、凹部内に摺接面２２，２３を形成するようにしているが、摺接面２２，２３をパネルホルダ２０の背面２０ａから突出するように形成してもよい。また、かしめ片３２は外装ケース３０の側枠３０ａの上端から突き出るように形成されているが、側枠３０ａに対してその上端からＬ字状の切り込み溝を入れて側枠３０ａの一部分を捻り可能としてもよい。
【００２８】
【発明の効果】
以上説明したように、本発明によれば、液晶表示パネルとパネルホルダとを含むパネル組立体を外装ケース内に収納し、その外装ケースに一体に形成されているかしめ片にてパネル組立体を固定する場合において、パネルホルダの背面内のかしめ片によって押圧される被押圧部に、かしめ片の捻り角が大きくなるに伴って押圧力が漸次増大する上り勾配の摺接面を形成したことにより、ゴム材などからなるダンパーを用いることなく、パネル組立体をガタ付きなく確実に固定することができる。
【図面の簡単な説明】
【図１】本発明による液晶表示装置の要部を示す拡大斜視図。
【図２】図１のＡ−Ａ線に沿った断面図。
【図３】本発明の変形例の要部を示す拡大斜視図。
【図４】液晶表示装置の従来例を示す分解斜視図。
【図５】上記従来例でのかしめ固定方法を説明するための拡大斜視図。
【符号の説明】
１０  液晶表示パネル
２０  パネルホルダ
２１  被押圧部
２２，２３  摺接面
２２ａ，２２ｂ  底部側の端縁
２３ａ，２３ｂ  頂部側の端縁
３０  外装ケース
３０ａ  側枠
３２  かしめ片
【図１】
2004302212.tif 000003
【図２】
2004302212.tif 000004
【図３】
2004302212.tif 000005
【図４】
2004302212.tif 000006
【図５】
2004302212.tif 000007